(57)【要約】      （修正有）【課題】ルアー本体を無駄にすることなく、必要に応じて釣針を交換できるハードベイトのルアーを提供する。【解決手段】硬質ルアー本体２０と釣針１０とをセットにしたルアーであって、釣針は、前後方向延伸の軸部と、曲がり部１０Ｂと、前記軸部よりも大きな頭部１０Ｃとを有し、前記軸部と前記曲がり部との境界領域から針先に至る途中までは垂直針厚寸法が軸部の直径よりも小さく形成され、ルアー本体には、該ルアー本体の前後方向に貫通延伸し、該ルアー本体の背部面又は腹部面に開口する開口部を有する釣針保持溝２０Ｍが設けられ、該釣針保持溝は前記頭部が挿通できない寸法関係であり、該釣針保持溝は、前記開口部よりも溝底寄り位置では前記釣針の軸部を挿入可能な寸法の溝幅であり、前記開口部の溝幅は前記軸部の直径よりも小さいと共に、前記垂直針厚寸法以上であり、該ルアー本体の前部には、前記釣針の頭部を連結可能な連結部２０Ｒを有する。【選択図】図１
2016042809.tif 000002
【特許請求の範囲】
【請求項１】
硬質のルアー本体と釣針とをセットにしたルアーであって、
前記釣針は、前後方向に延伸した軸部と、該軸部に連続すると共に、該軸部の延伸方向に対して曲がった曲がり部と、前記軸部の前端に該軸部よりも大きな頭部とを有し、前記曲がり部の先端が針先であり、少なくとも前記軸部と前記曲がり部との境界領域から針先に至る途中までは、該釣針を含む平面に対して垂直な方向の垂直針厚寸法が前記軸部の直径よりも小さく形成されており、
前記ルアー本体には、該ルアー本体の前後方向に貫通して延伸し、該ルアー本体の背部面又は腹部面に開口する開口部を有する釣針保持溝が設けられており、該釣針保持溝は前記頭部が挿通できない寸法関係になっており、該釣針保持溝は、前記開口部よりも溝底寄りの位置では前記釣針の軸部を挿入可能な寸法の溝幅となっており、前記開口部の溝幅は前記軸部の直径よりも小さいと共に、前記垂直針厚寸法以上であり、該ルアー本体の前部には、前記釣針の頭部を直接に、又は釣糸或いはスナップを介して間接に連結可能な連結部を有する
ことを特徴とするルアー。
【請求項２】
前記ルアー本体は前方部よりも後方部の左右方向厚さが漸次厚くなっており、
該ルアー本体の前部の上半分の位置に、斜め下方に向かったリップが設けられており、
該ルアー本体の前半部の下方部には錘が設けられており、
該錘付きルアーは静水の底に沈むか又は水中に停止し、ルアー釣りの際に釣糸を介した引き操作により、水中で泳ぐ重さと形状である
ことを特徴とする請求項１記載のルアー。
【発明の詳細な説明】
【技術分野】
【０００１】
本発明は、プラグを含むハードベイト又はハードルアーと称される魚釣用ルアーに関する。
【背景技術】
【０００２】
ハードベイトは、合成樹脂材や木材等で形成された硬質のルアー本体に釣針を装着して形成する。こうしたハードベイトの例として、下記非特許文献１等に開示のものがある。一般に、ルアーは、ルアー使用中に根掛かりしたり、岩や石等に擦れ、針先部が損傷したり、釣針の曲がり部が損傷することがある。下記非特許文献１のルアーでは、釣針がルアー本体に一体化されているため、釣針が損傷すれば、交換できず、ルアーそのものを買い替える必要が有る。
【先行技術文献】
【非特許文献】
【０００３】
【非特許文献１】ＢＡＳＳ  ＰＲＯ  ＳＨＯＰＳ社  「２０１４  ＢＡＳＳ  ＰＲＯ  ＳＨＯＰＳ  ＦＩＳＨＩＮＧ  ＭＡＳＴＥＲ  ＣＡＴＡＬＯＧ」２４３頁  Ｗｅｅｄｌｅｓｓ  Ｓｐｏｏｎ
【発明の概要】
【発明が解決しようとする課題】
【０００４】
上記の背景から、ルアーの使用形態として、常にルアー本体に釣針が保持されているルアーであっても、釣針が損傷した場合にその釣針を交換できれば非常に好ましい。
依って解決しようとする課題は、ルアー本体を無駄にすることなく、必要に応じて釣針を交換できるハードベイトのルアーの提供である。
【課題を解決するための手段】
【０００５】
上記課題に鑑みて第１の発明は、硬質のルアー本体と釣針とをセットにしたルアーであって、
前記釣針は、前後方向に延伸した軸部と、該軸部に連続すると共に、該軸部の延伸方向に対して曲がった曲がり部と、前記軸部の前端に該軸部よりも大きな頭部とを有し、前記曲がり部の先端が針先であり、少なくとも前記軸部と前記曲がり部との境界領域から針先に至る途中までは、該釣針を含む平面に対して垂直な方向の垂直針厚寸法が前記軸部の直径よりも小さく形成されており、
前記ルアー本体には、該ルアー本体の前後方向に貫通して延伸し、該ルアー本体の背部面又は腹部面に開口する開口部を有する釣針保持溝が設けられており、該釣針保持溝は前記頭部が挿通できない寸法関係になっており、該釣針保持溝は、前記開口部よりも溝底寄りの位置では前記釣針の軸部を挿入可能な寸法の溝幅となっており、前記開口部の溝幅は前記軸部の直径よりも小さいと共に、前記垂直針厚寸法以上であり、該ルアー本体の前部には、前記釣針の頭部を直接に、又は釣糸或いはスナップを介して間接に連結可能な連結部を有する
ことを特徴とするルアーを提供する。
【０００６】
第２の発明は、前記ルアー本体は前方部よりも後方部の左右方向厚さが漸次厚くなっており、
該ルアー本体の前部の上半分の位置に、斜め下方に向かったリップが設けられており、
該ルアー本体の前半部の下方部には錘が設けられており、
該錘付きルアーは静水の底に沈むか又は水中に停止し、ルアー釣りの際に釣糸を介した引き操作により、水中で泳ぐ重さと形状である
ことを特徴とする。
【発明の効果】
【０００７】
第１の発明では、釣針保持溝の開口部の溝幅は上記の垂直針厚寸法以上であるので、開口部は、前記軸部の直径よりも垂直針厚寸法が小さく形成されている曲がり部の部分を少なくとも通過させることができる。また、釣針保持溝の溝底寄りの位置は釣針の軸部を挿入可能な寸法の溝幅となっているため、開口部に曲がり部の垂直針厚寸法の小さな部位を挿通させつつ、ルアー本体の前方から上記釣針保持溝の溝底寄りの位置に釣針の軸部を押し入れることができる。しかし、釣針保持溝の開口部の溝幅は前記軸部の直径よりも小さいので、挿通された軸部は開口部から外に出ることが規制され、また、釣針は、頭部の存在によりルアー本体の後方に抜け出すことも規制される。更には、釣りの際に釣針の頭部をルアー本体の連結部と連結させれば、釣針はルアー本体の前方側にも抜け出ないで保持される。従って、釣針はルアー本体に常に保持されて釣りができる。
一方、釣針を交換する際には、釣針をルアー本体の釣針保持溝に挿入した場合の逆方向に引けば前方に抜き取ることができ、釣針交換が可能である。
【０００８】
第２の発明では、釣りの際、即ち、投擲されたルアーを引く際に、比較的ゆっくりと引けば、通常のルアーでよく見られるような左右にふらふらと振れる動きを呈する。これに対し、比較的早く引けば、長いピッチのＳ字を滑らかに描くように泳ぐ。即ち、一つのルアーが、引き操作の速さによって２種類の動作をする興味深いルアーが提供できる。
【図面の簡単な説明】
【０００９】
【図１】図１は本発明に係るルアーの側面図である。
【図２】図２は図１のルアーの上面図である。
【図３】図３は図１のルアーに使用の釣針の側面図である。
【図４】図４は図１の矢視線Ｄ−Ｄによる横断面図である。
【図５】図５は図４の要部拡大図である。
【発明を実施するための形態】
【００１０】
以下、本発明を、添付図面を用いて更に詳細に説明する。この例でのルアー本体２０は板状であり、その側面視による形状は、図１に示されるように、一般のルアー本体の形状と比較して上下幅が広い。前側の３分の１程は概ね矩形状であって、残り領域は略三角形状と言える。ルアー本体２０の背部面形状は概ね直線状であり、腹部面形状は円弧状であって、ルアー本体の後端部は三角形の角部を丸めた形状と言える。背部面形状は途中が下方向に少し窪んだ円弧状の凹形状や、逆に途中が上方向に幾分突出した円弧状の凸形状でもよい。
【００１１】
図２に示されるように、ルアー本体２０の前方部の左右方向厚さＢ１よりも後方部の左右方向厚さＢ２が厚く、前部から後部への変化は滑らかな増加である。また、ルアー本体の背部の左右方向厚さの中央位置には、背部面に開口し、前後方向に貫通延伸した釣針保持溝２０Ｍが設けられている。この釣針保持溝２０Ｍに釣針１０が保持されて釣りが行われる。図１に見られるように、この例の釣針保持溝２０Ｍの延伸方向は、ルアー本体２０の背部面に対して幾分傾斜し、その前端は後端に比べ、背部面を基準にして下方に位置している。
更には、図４に示すように、ルアー本体２０の背部の左右方向厚さよりも下方部の左右方向厚さが滑らかに大きくなっている。この形態はルアーの泳ぎの安定化に寄与する。しかし、左右側面２０Ｓが互いに平行になるように、上下の左右方向厚さを同じに形成してもよい。
【００１２】
図１に示すように、ルアー本体２０の前端部には、最大上下幅Ｈ１の３分の１程度背部面から下がった位置（背部面から距離Ｈ２の位置）に、リップ２０Ｌが装着されている。該リップは斜め前下方に向かって延伸している。また、このリップ２０Ｌの少し上側には連結部２０Ｒを設けており、この連結部は平面視で略半円状のアイになっている。前記釣針保持溝２０Ｍに充分押し込められた状態の釣針１０の頭部１０Ｃはリング状のアイであり、図１に示すように、釣針保持状態で頭部も連結部も側面視において互いに平行である。しかし、連結部はこうした平行に設けなくてもよい。釣糸やスナップによって頭部１０Ｃが連結部２０Ｒに対して連結されればよい。
【００１３】
また、ルアー本体の前半部領域の下方部に適宜な錘２０Ｗが埋め込まれている。この錘を含めたルアー全体は、投擲されると水中に沈む。その後、釣糸を介してルアーを引く操作を行えば水中で泳ぐ。
【００１４】
ルアー本体２０の図１と図２に示す各寸法の１例を概略値で示すと以下の通りである。
Ｌ１＝５５ｍｍ
Ｈ１＝２８ｍｍ
Ｂ１＝  ９ｍｍ
Ｂ２＝１３ｍｍ
Ｈ２＝  ９ｍｍ
Ｌ２＝１５ｍｍ
Ｌ３＝２２ｍｍ
また、ルアー本体２０はＡＢＳやポリカーボネート等の合成樹脂や、ジェルトン、バルサ材、桐、杉、カツラ、檜等の木材で形成される。この例では、上記説明寸法の本体を試験用としてジェルトンで形成した場合、錘２０Ｗの重さは５．８ｇ程度である。
【００１５】
上記釣針保持溝２０Ｍの説明の前に、釣針１０につき図３を参照して説明する。釣針の軸部１０Ａの先端には既述の頭部１０Ｃが設けられており、後端には曲がり部１０Ｂが連続形成されている。この例では、頭部１０Ｃのリングの広がり面に対して直交する面内に曲がり部１０Ｂが形成されている。本発明では、軸部１０Ａから曲がり始める境界領域から曲がって幾分立ち上がった途中位置までの領域１０ｂの、図３の紙面に垂直な方向の垂直針厚寸法Ｄ２（図５）が、軸部１０Ａの直径Ｄ１（図５）よりも小さい。この例では、この領域１０ｂを含む、曲がり部１０Ｂの全体において、垂直針厚寸法が軸部１０Ａの直径Ｄ１よりも小さく形成されている。これは、図３の紙面に垂直な方向にプレスするような方法で曲がり部１０Ｂを叩くことで薄く形成する。この目的は、針が獲物に係り易くしたり、また、釣針の強度を向上させるためである。
【００１６】
また、この例の釣針１０は針先１０Ｓの部分に係止部（返し部）を設けていない。しかし、一般の釣針のように係止部を設けた釣針であってもよい。
【００１７】
次に、釣針保持溝２０Ｍの形状につき、主に図５を参照しつつ説明する。釣針保持溝２０Ｍは、ルアー本体２０の背部面に開口する開口部ＭＫを有し、その位置での溝幅Ｗ２は、溝底寄りの位置での溝幅Ｗ１よりも小さい。溝底寄り部ＭＳの溝幅Ｗ１は釣針１０の軸部１０Ａの直径Ｄ１よりも大きな寸法であり、開口部ＭＫの溝幅Ｗ２は、前記軸部１０Ａの直径Ｄ１よりも小さく、既述の釣針１０の領域１０ｂの垂直針厚寸法Ｄ２以上である。溝底寄り部ＭＳの溝幅Ｗ１は軸部の直径Ｄ１に近い寸法が好ましい。この例では、溝底形状は略半円形状であり、開口部ＭＫに向かって溝幅が漸次幅狭になっている。
【００１８】
寸法の１例を示す。
Ｄ１＝１．４５ｍｍ
Ｄ２＝１．３０ｍｍ
Ｗ１＝１．４６ｍｍ
Ｗ２＝１．３１ｍｍ
【００１９】
以上の構造により、ルアー本体２０に釣針１０を保持させるには、釣針の軸部１０Ａを持ち、ルアー本体の前側から釣針保持溝２０Ｍの前端口に対して釣針の領域１０ｂを差し込むようにして挿入することができる。釣針の頭部１０Ｃの幅Ｗ０は釣針保持溝２０Ｍの溝幅Ｗ１よりも大きいので、図２に図示する状態で釣針１０の挿入は規制される。また、釣りに際しては、例えば、釣糸をこの頭部１０Ｃと連結部２０Ｒに共に挿通させて連結することで、釣針１０とルアー本体２０とが前後方向にスライドして分離することも規制される。
【００２０】
上記例の釣針保持溝２０Ｍの横断面形状とは異なり、溝底を水平面に形成したり、横断面形状全体を鍵孔型に形成したり、種々の形状が許容される。また、上記例とは異なり、釣針保持溝２０Ｍがルアー本体の腹部面に開口する形態のルアーも可能である。
【００２１】
曲がり部１０Ｂ全体の垂直針厚寸法Ｄ２が軸の直径Ｄ１よりも小さいこの例の場合は、針先１０Ｓから曲がり部全体を釣針保持溝２０Ｍに通過させる（通す）ことが可能なので、釣針の軸部１０Ａをルアー本体２０の前方から後方へ真っ直ぐに挿入できないような、挿入時に邪魔になる部材が、釣針保持溝２０Ｍの途中に存在していても、溝に針先１０Ｓから挿入し、釣針１０を釣針平面内で回動させるように動かして軸部１０Ａを釣針保持溝２０Ｍに挿入させることが可能である。
【００２２】
第２発明の作用、即ち、ルアーに２種類の動きが生じる理由を考察した。それは、ルアーに対する引き速度が遅い場合は、ルアー本体の前半部に位置する錘の作用により該ルアーの前部が後部よりも下がった姿勢で泳ぐ。この際、リップ２０Ｌの存在により、ルアー本体の両側面２０Ｓの全体領域の内、リップよりも下方の側面領域には自然で滑らかな水流が当たらず、リップ２０Ｌに乱された水流が当たり、リップ２０Ｌに邪魔されない上部領域のみにリップ２０Ｌに乱されない自然で滑らかな水流が当たる。更に、ルアー本体２０は前方部に比べて後方部の左右方向厚さが滑らかに漸次厚くなっているため、上記自然で滑らかな水流を、ルアー本体の前部から後部へと滑らかに流すことができる。
一方、引き速度が速い場合、釣竿先端が水面よりも上方にあり、この先端から出ている釣糸がルアーの斜め上方向に指向しているので、水中のルアーは、この釣糸からの強い引き作用により概ね水平状態に引き上げられ、その状態で前方に引かれる。この際、リップ２０Ｌよりも下方位置の側面領域も含めたルアー本体２０の側面２０Ｓの大部分の領域に当たる水流は、リップ２０Ｌの存在によって大きく乱されることが少なく、引き速度が遅い場合と異なる動きをするものと考えられる。
【産業上の利用可能性】
【００２３】
本発明は、ハードベイトと称される魚釣用ルアーに利用できる。特に、損傷した釣針を交換でき、ルアー本体を繰り返して使用したい場合に特に効果的に利用できる。
【符号の説明】
【００２４】
１０              釣針
１０Ａ            軸部
１０Ｂ            曲がり部
１０ｂ            軸部と曲がり部の境界領域
２０              ルアー本体
２０Ｍ            釣針保持溝
２０Ｒ            連結部
Ｄ１              軸部の直径
Ｄ２              境界領域の垂直針厚寸法
ＭＫ              開口部
ＭＳ              溝底寄り部
Ｗ１              溝底寄り部の溝幅
Ｗ２              開口部の溝幅
【図１】
2016042809.tif 000003
【図２】
2016042809.tif 000004
【図３】
2016042809.tif 000005
【図４】
2016042809.tif 000006
【図５】
2016042809.tif 000007